(57)【要約】      （修正有）【課題】コンテンツデータ及びこれに付随する再生用の信号の入力状態を監視することが可能な再生装置を提供する。【解決手段】再生装置において、コンテンツの再生に関するデータ信号を処理してコンテンツを再生する再生機能部及びデータ信号の状態を監視し、変化に基づくデータ変化トリガ信号を出力するデータ信号監視部と、データ信号の処理に用いられるクロック信号の状態を監視し、変化に基づくクロック変化トリガ信号を出力するクロック信号監視部と、コンテンツの再生の有効及び無効を示すイネーブル信号の状態を監視し、有効を示しているか無効を示しているかを示すイネーブル有無信号を出力するイネーブル信号監視部と、データ変化トリガ信号、クロック変化トリガ信号及びイネーブル有無信号に基づいて、再生機能部に対してデータ信号、クロック信号又はイネーブル信号が正常に入力されているか否かを判定する判定部と、を備える監視装置を有する。【選択図】図２
2020166213.tif 000002
【特許請求の範囲】
【請求項１】
コンテンツの再生に関するデータを示すデータ信号を処理して前記コンテンツを再生する再生機能部と、
前記データ信号の状態を監視し、前記データ信号の変化に基づくデータ変化トリガ信号を出力するデータ信号監視部と、
前記再生機能部における前記データ信号の処理に用いられる基準クロックとなるクロック信号の状態を監視し、前記クロック信号の変化に基づくクロック変化トリガ信号を出力するクロック信号監視部と、
前記再生機能部の前記コンテンツの再生の有効及び無効を示すイネーブル信号の状態を監視し、前記イネーブル信号が有効を示しているか無効を示しているかを示すイネーブル有無信号を出力するイネーブル信号監視部と、
前記データ変化トリガ信号、前記クロック変化トリガ信号及び前記イネーブル有無信号に基づいて、前記再生機能部に対して前記データ信号、前記クロック信号又は前記イネーブル信号が正常に入力されているか否かを判定する判定部と、を有することを特徴とする再生装置。
【請求項２】
前記判定部は、前記データ変化トリガ信号及び前記クロック変化トリガ信号に基づいて、前記データ信号または前記クロック信号の変化回数を判定し、前記イネーブル信号が有効を示している期間中に前記データ信号又は前記クロック信号が所定回数以上変化した場合、前記イネーブル信号が有効を示している期間中に前記データ信号又は前記クロック信号が所定時間以上変化しなかった場合、又は前記イネーブル信号が無効を示す期間中に前記データ信号及び前記クロック信号が所定範囲内の回数だけ変化した場合、前記再生機能部に対して前記データ信号、前記クロック信号又は前記イネーブル信号が正常に入力されていないと判定することを特徴とする請求項１に記載の再生装置。
【請求項３】
前記データ変化トリガ信号及び前記クロック変化トリガ信号に基づいてリセット及びカウントアップを行って当該リセット及びカウントアップの結果を示すカウント値を出力するタイマを有し、
前記判定部は、前記タイマのカウント値と、前記イネーブル有無信号と、に基づいて、前記再生機能部に前記データ信号、前記クロック信号又は前記イネーブル信号が正常に入力されているか否かを判定することを特徴とする請求項２に記載の再生装置。
【請求項４】
前記データ変化トリガ信号に基づいてリセット及びカウントアップを行って当該リセット及びカウントアップの結果を示すカウント値を出力する第１のタイマと、
前記クロック変化トリガ信号に基づいてリセット及びカウントアップを行って当該リセット及びカウントアップの結果を示すカウント値を出力する第２のタイマと、を有し、
前記判定部は、前記第１及び第２のタイマのカウント値と、前記イネーブル有無信号と、に基づいて、前記再生機能部に前記データ信号、前記クロック信号又は前記イネーブル信号が正常に入力されているか否かを判定することを特徴とする請求項２に記載の再生装置。
【請求項５】
コンテンツの再生に関するデータを示すデータ信号を処理して前記コンテンツを再生する再生機能部と、
前記データ信号の状態を監視し、前記データ信号の変化に基づくデータ変化トリガ信号を出力するデータ信号監視部と、
前記再生機能部における前記データ信号の処理に用いられる基準クロックとなるクロック信号の状態を監視し、前記クロック信号の変化に基づくクロック変化トリガ信号を出力するクロック信号監視部と、
前記再生機能部の内部で生成され、前記再生機能部の前記コンテンツの再生の有効及び無効を示すイネーブル信号の状態を監視し、前記イネーブル信号が有効を示しているか無効を示しているかを示すイネーブル有無信号を出力するイネーブル信号監視部と、
前記データ変化トリガ信号、前記クロック変化トリガ信号及び前記イネーブル有無信号に基づいて、前記再生機能部に対して前記データ信号又は前記クロック信号が正常に入力されているか否かを判定する判定部と、を有することを特徴とする再生装置。
【発明の詳細な説明】
【技術分野】
【０００１】
本発明は、音声や画像などのコンテンツを再生する再生装置に関する。
【背景技術】
【０００２】
例えば、音声の再生装置は、外部からの再生指令に従って、内蔵された音声データ又は外部から取得した音声データをスピーカに出力することで、当該スピーカを介して音声を再生する。例えば、特許文献１には、デジタル化された音声データをアナログデータに変換して再生する音声出力装置が開示されている。
【先行技術文献】
【特許文献】
【０００３】
【特許文献１】特開2010-128137号公報
【発明の概要】
【発明が解決しようとする課題】
【０００４】
音声や画像などによって種々の情報を出力することは、情報をユーザに伝達する上で非常に利便性及び確実性が高い手段である。従って、音声又は画像を再生する装置の用途は、多岐に亘る。当該用途の一例としては、映画の上映、調理家電における調理完了のお知らせ、車両の乗員に対する車両の状態（例えば衝突の危険）の伝達などが挙げられる。
【０００５】
このような再生装置においては、意図した情報を伝達することを考慮すると、正常に音声や画像が入力されていることが重要である。例えば、意図した情報ではない情報を示す音声を再生すること、又は意図したタイミングではないタイミングに音声を再生することは、ユーザに誤解を与えることとなる。
【０００６】
本発明は上記した点に鑑みてなされたものであり、コンテンツデータ及びこれに付随する再生用の信号の入力状態を監視することが可能な再生装置を提供することを目的の１つとしている。
【課題を解決するための手段】
【０００７】
本発明による再生装置は、コンテンツの再生に関するデータを示すデータ信号を処理してコンテンツを再生する再生機能部と、データ信号の状態を監視し、データ信号の変化に基づくデータ変化トリガ信号を出力するデータ信号監視部と、再生機能部におけるデータ信号の処理に用いられる基準クロックとなるクロック信号の状態を監視し、クロック信号の変化に基づくクロック変化トリガ信号を出力するクロック信号監視部と、再生機能部のコンテンツの再生の有効及び無効を示すイネーブル信号の状態を監視し、イネーブル信号が有効を示しているか無効を示しているかを示すイネーブル有無信号を出力するイネーブル信号監視部と、データ変化トリガ信号、クロック変化トリガ信号及びイネーブル有無信号に基づいて、再生機能部に対してデータ信号、クロック信号又はイネーブル信号が正常に入力されているか否かを判定する判定部と、を有することを特徴としている。
【０００８】
また、本発明による再生装置は、コンテンツの再生に関するデータを示すデータ信号を処理してコンテンツを再生する再生機能部と、データ信号の状態を監視し、データ信号の変化に基づくデータ変化トリガ信号を出力するデータ信号監視部と、再生機能部におけるデータ信号の処理に用いられる基準クロックとなるクロック信号の状態を監視し、クロック信号の変化に基づくクロック変化トリガ信号を出力するクロック信号監視部と、再生機能部の内部で生成され、再生機能部のコンテンツの再生の有効及び無効を示すイネーブル信号の状態を監視し、イネーブル信号が有効を示しているか無効を示しているかを示すイネーブル有無信号を出力するイネーブル信号監視部と、データ変化トリガ信号、クロック変化トリガ信号及びイネーブル有無信号に基づいて、再生機能部に対してデータ信号又はクロック信号が正常に入力されているか否かを判定する判定部と、を有することを特徴としている。
【発明の効果】
【０００９】
本発明による監視装置を用いることで、データを示す信号だけでなく再生用の種々の信号の入力状態を総合的に考慮して信号の入力状態を正確に判定及び監視することができる。
【図面の簡単な説明】
【００１０】
【図１】実施例１に係る監視装置が搭載された再生装置の構成を示す図である。
【図２】実施例１に係る監視装置のブロック図である。
【図３】実施例１に係る監視装置の状態判定テーブルの例を示す図である。
【図４】実施例２に係る監視装置のブロック図である。
【図５】実施例２に係る監視装置の状態判定テーブルの例を示す図である。
【図６】実施例３に係る監視装置が搭載された再生装置のブロック図である。
【図７】実施例３に係る監視装置のブロック図である。
【図８】実施例４に係る監視装置のブロック図である。
【発明を実施するための形態】
【００１１】
以下に本発明の実施例について詳細に説明する。
【実施例１】
【００１２】
図１は、実施例１に係る再生装置１０の構成を示す図である。再生装置１０は、例えば文字、画像、映像及び音声などの種々のコンテンツを再生する装置である。以下においては、再生装置１０が音声再生装置である場合について説明する。
【００１３】
再生装置１０は、外部の再生制御装置１８から所定の情報を表現する音声を示すデータ（以下、音声データと称する場合がある）を含む当該音声を再生する指令を受信する。再生装置１０は、当該音声データを示す音声信号を生成し、当該音声信号をスピーカ１９に供給する。例えば、再生装置１０は、大規模集積回路（ＬＳＩ）によって構成されている。
【００１４】
本実施例においては、再生制御装置１８は、音声データを示す信号（以下、データ信号と称する）ＤＴと、再生装置１０がデータ信号ＤＴにデータ処理を施す際に用いられる基準クロックとなる信号（以下、クロック信号と称する）ＣＬと、再生装置１０における音声の再生の有効及び無効を示す信号（以下、イネーブル信号と称する）ＥＮと、を生成し、これらの信号を再生装置１０に供給する。
【００１５】
再生装置１０は、データ信号ＤＴ、クロック信号ＣＬ及びイネーブル信号ＥＮを受信することで、音声データをスピーカ１９から出力するための音声信号を生成する。再生装置１０は、音声データの再生動作を行う再生機能部１１を有する。
【００１６】
本実施例においては、再生機能部１１は、データ信号ＤＴを受信し、再生用の音声信号を生成する。例えば、再生装置１０内には、音声信号を生成するための基礎となる音声データ（以下、基礎音声データと称する場合がある）が格納されている。
【００１７】
本実施例においては、再生機能部１１は、再生装置１０内に格納された基礎音声データを選択的に読出して組み合わせることで、データ信号ＤＴによって示される情報を表現する音声信号を生成する。例えば、基礎音声データは、日本語の五十音の各々に対応する音声データである。
【００１８】
また、本実施例においては、再生機能部１１は、音声信号を増幅する増幅部（図示せず）を有し、当該増幅された音声信号をスピーカ１９の駆動信号として生成し、当該駆動信号をスピーカ１９に供給する。また、例えば、再生機能部１１は、当該駆動信号を調節することで、スピーカ１９から出力される際の音声の音量や音質などを調節する。
【００１９】
また、再生機能部１１は、当該駆動信号を生成及び出力する際の動作をクロック信号ＣＬに従って行う。また、再生機能部１１の当該駆動信号の生成動作、すなわち再生機能部１１の再生動作は、再生機能部１１に入力されるイネーブル信号ＥＮの信号レベルが、再生機能部１１の再生機能を有効にする論理レベルである期間中に実行される。このように、例えば、再生装置１０は、音声データを再生する。
【００２０】
また、再生装置１０は、再生機能部１１に入力されるデータ信号ＤＴ、クロック信号ＣＬ及びイネーブル信号ＥＮを含む種々の信号の監視を行うことで、再生機能部１１に対して再生制御装置１８から信号が正常に入力されているか否かを監視する監視装置１２を監視部として有する。
【００２１】
監視装置１２は、再生制御装置１８から再生装置１０に入力される信号、本実施例においてはデータ信号ＤＴ、クロック信号ＣＬ及びイネーブル信号ＥＮを受信し、その状態を監視することで、再生装置１０への信号の入力状態を監視する。監視装置１２は、再生装置１０への信号の入力状態の監視の結果を再生制御装置１８に出力する。なお、監視の結果によっては、再生制御装置１８以外の外部の装置であって、再生機能部１１の制御を行う装置（図示せず）に監視の結果が出力されてもよい。
【００２２】
図２は、監視装置１２の詳細な構成を示すブロック図である。本実施例においては、監視装置１２は、データ信号ＤＴの状態を監視するデータ信号監視部２１を有する。本実施例においては、データ信号監視部２１は、データ信号ＤＴの変化（例えば変化点）を検出する。本実施例においては、データ信号監視部２１は、データ信号ＤＴの変化に基づくトリガ信号（以下、データ変化トリガ信号と称する）Ｓ１を出力する。
【００２３】
なお、データ信号ＤＴの変化点とは、例えば、無音状態から音声出力状態に切替わる際のデータ信号ＤＴの立上りタイミングや、音声の強弱や五十音の切替わりなどでデータ信号ＤＴの信号レベルが所定以上変化するタイミングをいう。
【００２４】
また、本実施例においては、監視装置１２は、クロック信号ＣＬの状態を監視するクロック信号監視部２２を有する。本実施例においては、クロック信号監視部２２は、クロック信号ＣＬの変化（例えば変化点）を検出する。本実施例においては、クロック信号監視部２２は、クロック信号の変化に基づくトリガ信号（以下、クロック変化トリガ信号と称する）Ｓ２を出力する。なお、クロック信号ＣＬの変化点とは、例えば、クロック信号ＣＬの立上りタイミング、又は立下りタイミングをいう。
【００２５】
また、本実施例においては、監視装置１２は、イネーブル信号ＥＮの状態を監視するイネーブル信号監視部２３を有する。本実施例においては、イネーブル信号監視部２３は、イネーブル信号ＥＮの信号レベルが再生機能部１１の再生機能を有効にする論理レベルであるか、又はイネーブル信号ＥＮの信号レベルが再生機能部１１の再生機能を無効にする論理レベルであるかを検出する。
【００２６】
イネーブル信号監視部２３は、イネーブル信号ＥＮが有効を示しているか無効を示しているかを示す信号（以下、イネーブル有無信号と称する）Ｓ３を出力する。すなわち、イネーブル信号監視部２３は、再生装置１０に対して再生制御装置１８から音声データの再生の指令がなされているか否かを監視する。
【００２７】
次に、監視装置１２は、データ変化トリガ信号Ｓ１及びクロック変化トリガ信号Ｓ２に基づいてリセット及びカウントアップを繰り返すタイマ２４を有する。タイマ２４は、当該リセット及びカウントアップの結果を示すカウント値を出力する。
【００２８】
本実施例においては、データ信号ＤＴ及びクロック信号ＣＬのいずれかの変化がデータ信号監視部２１及びクロック信号監視部２２によって検出された場合、タイマ２４は、当該変化点をリセット及びカウントアップ開始点とし、カウントアップを開始する。
【００２９】
また、タイマ２４は、カウントアップ中に、データ信号ＤＴ及びクロック信号ＣＬのうち、当該カウントアップの開始点となった信号ではない信号の変化が新たに検出された場合、当該新たに検出された信号の変化点を新たなリセット及びカウントアップ開始点とし、当該新たな開始点からカウントアップを開始する。
【００３０】
例えば、タイマ２４は、データ信号ＤＴの変化が検出されたことによってデータ信号ＤＴの変化点毎にカウントアップを行っている際にクロック信号ＣＬの変化が検出された場合、カウント値をリセットし、これ以降は、データ信号ＤＴの変化が新たに検出されるまでは、クロック信号ＣＬの変化点毎にカウントアップを行う。
【００３１】
監視装置１２は、タイマ２４によるカウント値の状態と、イネーブル有無信号Ｓ３に基づいて、再生装置１０の再生機能部１１に正常にデータ信号ＤＴ、クロック信号ＣＬ及びイネーブル信号ＥＮが入力されているか否かを判定する判定部２５を有する。
【００３２】
本実施例においては、判定部２５は、当該判定結果を再生制御装置１８に通知する。再生制御装置１８は、例えばデータ信号ＤＴ又はクロック信号ＣＬが再生機能部１１に正常に入力されていないという判定結果の通知を受けた場合、音声がスピーカ１９から出力されないようにしたり、スピーカ１９から出力される音声の音量が小さくなるように、再生機能部１１を制御してもよい。
【００３３】
また、図示していないが、判定部２５が、例えばデータ信号ＤＴ又はクロック信号ＣＬが再生機能部１１に正常に入力されていないと判定した場合、判定部２５自身が音声がスピーカ１９から出力されないようにしたり、スピーカ１９から出力される音声の音量が小さくなるように、再生機能部１１を制御することとしてもよい。
【００３４】
図３は、監視装置１２の判定部２５によるデータ信号ＤＴ、クロック信号ＣＬ及びイネーブル信号ＥＮの入力状態を判定するテーブル（以下、状態判定テーブルと称する）の一例を示す図である。本実施例においては、判定部２５は、タイマ２４のカウント値（以下、タイマ値と称する）と、イネーブル信号ＥＮの状態と、を総合的に考慮することで、再生装置１０への信号の入力状態を判定する。
【００３５】
本実施例においては、判定部２５は、イネーブル信号ＥＮが有効を示している期間中にタイマ値が所定値未満で変化している場合、データ信号ＤＴ、クロック信号ＣＬ及びイネーブル信号ＥＮが正常に再生装置１０に入力されていると判定する。
【００３６】
また、判定部２５は、イネーブル信号ＥＮが無効を示している期間中にタイマ値が変化していない場合、データ信号ＤＴ、クロック信号ＣＬ及びイネーブル信号ＥＮが正常に再生装置１０に入力されていない（音声データを出力すべきタイミングではなく、かつ出力を指令されていない）と判定する。この場合、判定部２５は、例えば再生機能部１１が正常な非再生状態であると判定する。
【００３７】
一方、判定部２５は、イネーブル信号ＥＮが有効を示している期間中にタイマ値が所定値以上で（少なくとも一部の期間に）変化している場合、再生装置１０に正常にデータ信号ＤＴ又はクロック信号ＣＬが入力されておらず、また、再生機能部１１が異常な再生状態にあると判定する。
【００３８】
例えば、データ信号ＤＴ及びクロック信号ＣＬの両方が正常に入力されている場合、タイマ値は、所定値未満で変化し続けることとなる。これに対し、例えば、データ信号ＤＴ又はクロック信号ＣＬの入力が部分的に途切れた場合、タイマ２４はカウントアップを続けるため、タイマ値が所定値以上となる。判定部２５は、タイマ値を考慮することで、このデータ信号ＤＴ又はクロック信号ＣＬの入力状態の正常及び異常を判定する。
【００３９】
次に、判定部２５は、イネーブル信号ＥＮが有効を示している期間中にタイマ値が所定時間以上変化しない場合、出力処理部１３に正常にデータ信号ＤＴ又はクロック信号ＣＬが入力されておらず、また、出力処理部１３が異常な出力状態にあると判定する。タイマ値が変化しない場合、データ信号ＤＴ及びクロック信号ＣＬの両方が入力されていない場合があるからである。
【００４０】
また、判定部２５は、イネーブル信号ＥＮが無効を示している期間中にタイマ値が所定の範囲内で変化している場合、出力処理部１３に正常にデータ信号ＤＴ又はクロック信号ＣＬが入力されているにも関わらずイネーブル信号ＥＮが正常に入力されておらず、再生機能部１１が異常な非再生状態にあると判定する。これは、音声データを再生すべきタイミングであるにも関わらず、再生機能部１１が有効状態に切替わらず、音声データが再生されていない場合があるからである。
【００４１】
なお、タイマ値の閾値や無変化期間は、種々調節することができる。例えば、正常な無音期間を含む音声データの場合、ある程度タイマ値が上がり、また無変化期間が生ずる場合がある。判定部２５は、これらを考慮してタイマ値の判定基準を設定することで、より高精度な異常判定を行うことができる。
【００４２】
このように、本実施例においては、監視装置１２は、再生機能部１１に対するデータ信号ＤＴ、クロック信号ＣＬ及びイネーブル信号ＥＮの入力状態を考慮して、これらの信号が再生機能部１１に正常に入力されているか否かを監視する。従って、正確に再生装置１０へのデータ入力状態、及び再生装置のデータ再生状態を監視及び判定することが可能となる。
【００４３】
なお、本実施例においては、監視装置１２がタイマ２４を有し、このタイマ２４から出力されるタイマ値を用いて再生機能部１１への信号の入力状態を監視する場合について説明した。しかし、監視装置１２は、少なくともデータ信号監視部２１、クロック信号監視部２２及びイネーブル信号監視部２３と、判定部２５と、を有していればよい。
【００４４】
この場合、判定部２５は、例えば、データ変化トリガ信号Ｓ１及びクロック変化トリガ信号Ｓ２に基づいて、データ信号または前記クロック信号の変化回数を判定するように構成されていればよい。
【００４５】
また、この場合、判定部２５は、例えば、イネーブル信号ＥＮが有効を示している期間中にデータ信号ＤＴ又はクロック信号ＣＬが所定回数以上変化した場合、イネーブル信号ＥＮが有効を示している期間中にデータ信号ＤＴ又はクロック信号ＣＬが所定時間以上変化しなかった場合、又はイネーブル信号ＥＮが無効を示す期間中にデータ信号ＤＴ及びクロック信号ＣＬが所定の範囲内の回数だけ変化した場合、再生機能部１１に対してデータ信号ＤＴ、クロック信号ＣＬ又はイネーブル信号ＥＮが正常に入力されていないと判定すればよい。
【００４６】
また、本実施例においては、監視装置１２が再生装置１０に搭載される場合について説明した。しかし、監視装置１２は再生装置１０の外部に設けられていてもよい。監視装置１２は、再生装置１０に入力される種々の信号又は再生装置１０の内部で生成されるデータ処理用の種々の信号の状態を取得すれば、同様の監視動作を行うことができる。
【００４７】
このように、例えば、再生装置１０は、コンテンツの再生に関するデータを示すデータ信号ＤＴを処理してコンテンツを再生する再生機能部１１と、データ信号ＤＴの状態を監視し、データ信号ＤＴの変化に基づくデータ変化トリガ信号Ｓ１を出力するデータ信号監視部２１と、再生機能部１１におけるデータ信号ＤＴの処理に用いられる基準クロックとなるクロック信号ＣＬの状態を監視し、クロック信号ＣＬの変化に基づくクロック変化トリガ信号Ｓ２を出力するクロック信号監視部２２と、再生機能部１１のコンテンツの再生の有効及び無効を示すイネーブル信号ＥＮの状態を監視し、イネーブル信号ＥＮが有効を示しているか無効を示しているかを示すイネーブル有無信号Ｓ３を出力するイネーブル信号監視部２３と、データ変化トリガ信号Ｓ１、クロック変化トリガ信号Ｓ２及びイネーブル有無信号Ｓ３に基づいて、再生機能部１１に対してデータ信号ＤＴ、クロック信号ＣＬ又はイネーブル信号ＥＮが正常に入力されているか否かを判定する判定部２５と、を有する。従って、コンテンツデータ及びこれに付随する再生用の信号の入力状態を監視することが可能な再生装置１０を提供することができる。
【実施例２】
【００４８】
図４は、実施例２に係る再生装置３０の監視装置１２Ａのブロック図である。再生装置３０は、監視装置１２Ａの構成を除いては、再生装置１０と同様の構成を有する。また、監視装置１２Ａは、２つのタイマ（第１及び第２のタイマ２６及び２７）を有する点、並びにこれら第１及び第２のタイマ２６及び２７のカウント値によって信号の入力状態を判定する判定部２５Ａを有する点を除いては、監視装置１２と同様の構成を有する。
【００４９】
本実施例においては、監視装置１２Ａは、データ変化トリガ信号Ｓ１に基づいてリセット及びカウントアップを行って当該リセット及びカウントアップの結果を示すカウント値を出力する第１のタイマ２６と、クロック変化トリガ信号Ｓ２に基づいてリセット及びカウントアップを行って当該リセット及びカウントアップの結果を示すカウント値を出力する第２のタイマ２７と、を有する。
【００５０】
また、監視装置１２Ａは、第１及び第２のタイマ２６及び２７の各々のカウント値と、イネーブル有無信号Ｓ３と、に基づいて、再生機能部１１に対してデータ信号ＤＴ、クロック信号ＣＬ又はイネーブル信号ＥＮが正常に入力されているか否かを判定し、当該判定結果を再生制御装置１８（図１参照）に通知する判定部２５Ａを有する。
【００５１】
本実施例においては、第１及び第２のタイマ２６及び２７の各々は、独立してリセット及びカウントアップを行う。また、本実施例においては、第１及び第２のタイマ２６及び２７の各々は、所定の期間毎、又は所定のタイミングでリセット及びカウントアップを開始する。監視装置１２Ａのように、入力される信号毎に独立した複数のタイマを有していてもよい。
【００５２】
図５は、判定部２５Ａが再生機能部１１への信号の入力状態を判定する状態判定テーブルの一例を示す図である。まず、本実施例においては、判定部２５Ａは、イネーブル信号ＥＮが有効を示している期間中に第１及び第２のタイマ２６及び２７の両方のタイマ値が所定値未満で変化している場合、再生機能部１１に対してデータ信号ＤＴ、クロック信号ＣＬ及びイネーブル信号ＥＮが正常に入力されていると判定する。
【００５３】
また、判定部２５Ａは、イネーブル信号ＥＮが無効を示している期間中に第１及び第２のタイマ２６及び２７の両方のタイマ値が変化していない場合、再生機能部１１に対してデータ信号ＤＴ、クロック信号ＣＬ又はイネーブル信号ＥＮが正常に入力されておらず、再生機能部１１が正常な非再生状態にあると判定する。
【００５４】
一方、判定部２５Ａは、イネーブル信号ＥＮが有効を示している期間中に第１及び第２のタイマ２６及び２７のうちの少なくとも１つのタイマ値が所定値以上で（少なくとも一部の期間に）変化している場合、再生機能部１１に対してデータ信号ＤＴ、クロック信号ＣＬ又はイネーブル信号ＥＮが正常に入力されておらず、また、再生機能部１１が異常な再生状態にあると判定する。
【００５５】
例えば、第１のタイマ２６のタイマ値が所定値以上で変化する場合、異常なデータ信号ＤＴが入力されている場合がある。また、第２のタイマ２７のタイマ値が所定値以上で変化する場合、異常なクロック信号ＣＬが入力されている場合がある。判定部２５Ａは、例えばこのような状態を異常な信号入力状態として判定する。
【００５６】
また、判定部２５Ａは、イネーブル信号ＥＮが有効を示している期間中に第１及び第２のタイマ２６及び２７のうちの少なくとも１つのタイマ値が所定時間以上変化しない場合、再生機能部１１に対してデータ信号ＤＴ、クロック信号ＣＬ又はイネーブル信号ＥＮが正常に入力されておらず、また、再生機能部１１が異常な再生状態にあると判定する。この場合、所定時間以上タイマ値が変化しないタイマに対応する信号の入力が途切れている場合があるからである。
【００５７】
また、判定部２５Ａは、イネーブル信号ＥＮが無効を示している期間中に第１及び第２のタイマ２６及び２７の両方のタイマ値が所定の範囲内で変化している場合、出力処理部１３に正常にデータ信号ＤＴ又はクロック信号ＣＬが入力されているにも関わらずイネーブル信号ＥＮが正常に入力されておらず、再生機能部１１が異常な非再生状態にあると判定する。これは、音声データを再生すべきタイミングであるにも関わらず、再生機能部１１が有効状態に切替わらず、音声データが再生されていない場合があるからである。
【００５８】
このように、監視装置１２Ａは、データ信号ＤＴ及びクロック信号ＣＬの各々に対応する第１及び第２のタイマ２６及び２７を有していてもよい。これによって、正確に再生機能部１１への信号の入力状態、及び再生装置３０の再生状態を判定することができる。
【実施例３】
【００５９】
図６は、実施例３に係る再生装置４０の部分的なブロック図である。再生装置４０は、再生機能部１１Ａ及び監視装置１２Ｂの構成を除いては、再生装置１０と同様の構成を有する。また、本実施例においては、再生制御装置１８Ａが再生制御装置１８とは異なる構成を有する。
【００６０】
本実施例においては、再生制御装置１８Ａは、再生装置４０に対してデータ信号ＤＴ及びクロック信号ＣＬのみを供給する。また、再生機能部１１Ａは、データ信号ＤＴ及びクロック信号ＣＬを受信することで、再生機能部１１Ａの内部で自身の有効及び無効を切り替える。すなわち、イネーブル信号ＥＮは、再生機能部１１Ａの内部で生成される。
【００６１】
図７は、監視装置１２Ｂのブロック図である。本実施例においては、監視装置１２Ｂの状態監視部２３Ａは、再生機能部１１Ａからイネーブル信号ＥＮを受信することで、このイネーブル信号ＥＮの状態を監視する。
【００６２】
また、本実施例においては、判定部２５は、タイマ２４のカウント値と、イネーブル有無信号Ｓ３とに基づいて、再生機能部１１Ａに対してデータ信号ＤＴ又はクロック信号ＣＬが正常に入力されているか否かを判定する。
【００６３】
例えば、監視装置１２Ｂによってなされる再生機能部１１Ａに対してデータ信号ＤＴ又はクロック信号ＣＬが正常に入力されているか否かの判定は、監視装置１２と同様に、例えば図３に示した状態判定テーブルによって行われ得る。このように、再生機能部１１Ａが内部で有効及び無効を切替える場合でも、同様に再生機能部１１Ａへの信号の入力状態を監視することができる。
【００６４】
このように、本実施例においては、例えば、再生装置４０は、コンテンツの再生に関するデータを示すデータ信号ＤＴを処理してコンテンツを再生する再生機能部１１Ａと、データ信号ＤＴの状態を監視し、データ信号ＤＴの変化に基づくデータ変化トリガ信号Ｓ１を出力するデータ信号監視部２１と、再生機能部１１Ａにおけるデータ信号ＤＴの処理に用いられる基準クロックとなるクロック信号ＣＬの状態を監視し、クロック信号ＣＬの変化に基づくクロック変化トリガ信号Ｓ２を出力するクロック信号監視部２２と、再生機能部１１Ａの内部で生成され、再生機能部１１Ａのコンテンツの再生の有効及び無効を示すイネーブル信号ＥＮの状態を監視し、イネーブル信号ＥＮが有効を示しているか無効を示しているかを示すイネーブル有無信号Ｓ３を出力するイネーブル信号監視部２３Ａと、データ変化トリガ信号Ｓ１、クロック変化トリガ信号Ｓ２及びイネーブル有無信号Ｓ３に基づいて、再生機能部１１Ａに対してデータ信号又はクロック信号が正常に入力されているか否かを判定し、当該判定結果を再生制御装置１８Ａに通知する判定部２５と、を有する。従って、コンテンツデータ及びこれに付随する再生用の信号の入力状態を監視することが可能な再生装置４０を提供することができる。
【実施例４】
【００６５】
図８は、実施例４に係る再生装置５０の部分的なブロック図である。再生装置５０は、監視装置１２Ｃの構成を除いては、再生装置４０と同様の構成を有する。また、監視装置１２Ｃは、第１及び第２のタイマ２６及び２７を有する点、並びにこれら第１及び第２のタイマ２６及び２７のカウント値によって信号の入力状態を判定する判定部２５Ａを有する点を除いては、監視装置１２Ｂと同様の構成を有する。監視装置１２Ｃは、監視装置１２Ａ（実施例２）と監視装置１２Ｂ（実施例３）とを組み合わせた場合に相当する構成を有する。
【００６６】
本実施例においては、監視装置１２Ｃは、監視装置１２Ａと同様に、データ変化トリガ信号Ｓ１に基づいてリセット及びカウントアップを行う第１のタイマ２６と、クロック変化トリガ信号Ｓ２に基づいてリセット及びカウントアップを行う第２のタイマ２７と、を有する。
【００６７】
また、監視装置１２Ｃは、再生機能部１１Ａからイネーブル信号ＥＮを受信することで、イネーブル信号ＥＮの状態を監視し、イネーブル信号ＥＮが有効を示しているか無効を示しているかを示すイネーブル有無信号Ｓ３を出力するイネーブル信号監視部２３Ａを有する。
【００６８】
また、監視装置１２Ｃは、第１及び第２のタイマ値２６及び２７のタイマ値と、イネーブル有無信号Ｓ３とに基づいて、再生機能部１１Ａに対してデータ信号又はクロック信号が正常に入力されているか否かを判定し、当該判定結果を再生制御装置１８Ａ（図６参照）に通知する判定部２５Ａを有する。判定部２５Ａによってなされる再生機能部１１Ａに対してデータ信号又はクロック信号が正常に入力されているか否かの判定は、例えば、監視装置１２Ａと同様に、図５に示す状態判定テーブルによって行われ得る。
【００６９】
このように、本実施例においては、第１及び第２のタイマ２６及び２７によって独立してデータ信号ＤＴ及びクロック信号ＣＬの変化点をカウントし、また、再生機能部１１Ａの内部で生成されるイネーブル信号ＥＮによって再生機能部１１Ａの状態を監視する。この場合でも、再生機能部１１Ａへの信号の入力状態を正確に監視及び判定することができる。
【符号の説明】
【００７０】
１０、３０、４０、５０  再生装置
１１、１１Ａ  再生機能部
１２、１２Ａ、１２Ｂ、１２Ｃ  監視部
２４、２６、２７  タイマ
【図１】
2020166213.tif 000003
【図２】
2020166213.tif 000004
【図３】
2020166213.tif 000005
【図４】
2020166213.tif 000006
【図５】
2020166213.tif 000007
【図６】
2020166213.tif 000008
【図７】
2020166213.tif 000009
【図８】
2020166213.tif 000010